(57)【要約】【課題】ドクターブレードを設ずに糊ロールに付着した糊カスが乾燥して飛散するのを確実に防止し、構造が簡単で容易に製作できる糊付け装置を提供する。【解決手段】糊付け装置Ｂは、押圧ロールと、押圧ロールと同期して回転して押圧ロールと協同して連続用紙を移送する版ロールと、版ロールと接触してそれと同期して回転する、外周部に糊取込溝３ｂを形成した糊ロール３と、糊ロール３の外周に開口部を接触させて設けられ糊容器とを備えている。糊ロール３には、水を貯留する貯水器１１と、糊ロール３の糊取込溝３ｂが設けられていない外周部分３ａ，３ａと両端面３ｃ，３ｃとに接触して、貯水器１１から吸湿した水分を、糊ロール３に付着した糊に付与する吸湿性部材１０とを備えた糊カス飛散防止手段９が設けられている。吸湿性部材１０は付勢手段１２によって糊ロール３の外周部分３ａ，３ａと両端面３ｃ，３ｃに対し押圧されている。【選択図】        図２
2004216203.tif 000002
【特許請求の範囲】
【請求項１】
軸回りに回転する押圧ロールと、該押圧ロールと平行に被糊付シートを通す隙間をあけて配設され、押圧ロールと反対方向にそれと同期して回転する版ロールと、該版ロールと平行に接触して配設され、版ロールと反対方向に同期して回転する、外周部に糊取込溝を形成した糊ロールと、該糊ロールの外周に円弧状の開口部を接触させて設けられ、内部に糊を貯留する糊容器とを備えた糊付け装置において、
前記糊ロールには、その軸方向の両端部側の糊取込溝が設けられていない少なくとも外周部分に接触して、糊ロールに付着した糊に水分を付与する糊カス飛散防止手段が設けられたことを特徴とする糊付け装置。
【請求項２】
前記糊カス飛散防止手段は、前記糊ロールに接触する吸湿性部材と、該吸湿性部材が浸漬する水を貯留する貯水器とを備えていることを特徴とする請求項１に記載の糊付け装置。
【請求項３】
前記糊カス飛散防止手段には、前記吸湿性部材を前記糊ロールに押圧、接触させる付勢手段が設けられていることを特徴とする請求項２に記載の糊付け装置。
【発明の詳細な説明】
【０００１】
【発明の属する技術分野】
この発明は、移動する帯状の連続用紙等に予め定めた領域毎に糊を塗布するための糊付け装置に関する。
【０００２】
【従来の技術】
従来より、はがき、封書、その他の通信紙等において、通信内容等が第三者に安易に見られないように通信内容を記載した通信面に前記通信紙等の一部を折り返して接着しまたは他の用紙を接着して密封し、通信紙等の受信者が通信面に接着した用紙を剥がして開封可能とする手段が採用されている。そのため、前記通信紙等の通信面の所定部位に、用紙を接着する感圧性接着剤等の糊を塗布するための糊付け装置が開発され、実用に供されている。
【０００３】
前記糊付け装置として、例えば、図６に示すように、軸回りにイ矢方向に回転する押圧ロール１と、該押圧ロール１と平行に僅かな隙間をあけて配設され、押圧ロール１と同期してその反対のロ矢方向に回転するゴム製の版ロール２と、該版ロール２に平行に配設され、版ロール２の外周に接触してその反対のイ方向に同期して回転する、外周部に網目状の溝を形成した糊ロール３と、該糊ロール３の外周に円弧状の開口部４ａを接触させて設けられ、内部に糊タンク５等からポンプ６を介して糊を供給されて貯留し、かつ余剰の糊を糊タンク５等に循環させるチャンバー式の糊容器（アプリケータ）４と、糊ロール３の外周に先端を接触させたドクターブレード７（省略される場合もある）とを備え、前記糊容器４内の糊が糊ロール３の回転でその外周の溝に取り込まれ、この糊ロール３の溝に取り込まれた糊が、糊ロール３に接触する前記版ロール２の糊付与パターンに転移され、この版ロール２の糊付与パターンに転移された糊が、前記押圧ロール１と版ロール２の回転によりそれらに挟持された状態でそれらの間をハ矢方向に移送される連続用紙８に繰り返し塗布されて、前記通信紙等の通信面に対応する所定の領域毎に前記糊付与パターンの糊付けが行われるようにした糊付け装置Ａが知られている（例えば、特許文献１参照）。また、前記糊ロール３を省略して、前記版ロール２の下部を糊容器４に浸漬し、版ロール２に直接糊を付着させ、その糊付与パターン以外に付着した糊をドクターブレード７で除去した状態で前記連続用紙に糊を塗布するようにした糊付け装置も知られている（例えば、特許文献２参照）。さらに、糊付け作業の休止期間に、糊付け装置の上部を水分を含んだ乾燥防止シートで覆って糊付けロールを含むロール郡に付着した糊の乾燥を防止したり、糊付けロールを移動させて乾燥防止カバーの上に載せることより、該乾燥防止カバーで糊付けロールに付着した糊の乾燥を防止するようにした糊付け装置も知られている（例えば、特許文献３，４参照）。
【０００４】
【特許文献１】
特開平６−１９０９４８号公報
【特許文献２】
特開平７−２９９８８０号公報
【特許文献３】
特開平９−２０００号公報
【特許文献４】
特開平２００１−８９９６５号公報
【０００５】
【発明が解決しようとする課題】
ところで、前記前者の糊付け装置Ａにおいては、前記糊容器４は、その開口部４ａが糊ロール３と適度の気密性をもって接合され、糊ロール３が回転していない状態で糊が糊容器４から漏れ出ないようにされ、特に、糊ロール３の網目状の溝が加工されていない両端部付近には、ゴム、スポンジ等の柔軟性のあるシール材を設けて気密性を向上させている。
しかしながら、静止している糊容器４と回転している糊ロール３との間の気密性を上げても、糊圧力と糊ロール３の回転力、摩擦熱等により、糊容器４内の糊は、糊ロール３の両端部における回転方向の先行側にあたる糊容器４の上方縁部ｅから漏れ出てくる。この漏れ出た糊は外部空気により乾燥して糊ロール３に付着して前記シール材を破損させ、また、乾燥した糊は、糊ロール３と前記シール材との間に入り込んで糊容器４からの糊漏れを増長させると共に、周辺に飛散して連続用紙８に付着して該連続用紙８を損傷させたり、後工程における通信紙等の圧着による密封が良好に行えない等の不具合を発生させるおそれがある。また、前記ドクターブレード７は、糊ロール３に付着している糊カスを除去するものであるが、除去された糊カスは乾燥していて周辺に飛散するため、これを強制的に回収する装置が必要となり、また、除去された糊カスが乾燥していない場合は、それを前記糊タンク５へ戻すこととなるが、そのための装置が複雑になる。
【０００６】
また、後者の糊付け装置は、ロールの本数が少なくて済むと共に、版ロール２に糊カスが付着しない利点があるが、ドクターブレード７の版ロール２に対する当接圧の調節やドクターブレード７の先端の局部摩耗の防止を図りながら、版ロール２の糊付与パターンに一定厚さの糊を保持させ、糊付与パターン以外に付着した糊を除去するために、ドクターブレード７に複雑な操作機構が必要となり、製造コストが高くなる問題がある。
さらに、糊付け装置を乾燥防止シートで覆ったり、糊付けロールを乾燥防止カバー上に載せて糊付けロール等に付着した糊の乾燥を防止するようにした糊付け装置にあっては、糊付け作業中に糊付けロールに付着した糊カスの乾燥を防止して、その飛散を防止することができない問題がある。
【０００７】
この発明は、上記事情に鑑みてなされたものであって、ドクターブレードを設ずに、糊付け作業中に糊ロールに付着した糊カスが乾燥して飛散するのを確実に防止することができ、構造が簡単で容易に製作することができる糊付け装置を提供することを目的とする。
【０００８】
【課題を解決するための手段】
本発明は、前記課題を解決するために、以下の点を特徴としている。
すなわち、請求項１に係る糊付け装置は、軸回りに回転する押圧ロールと、該押圧ロールと平行に被糊付シートを通す隙間をあけて配設され、押圧ロールと反対方向にそれと同期して回転する版ロールと、該版ロールと平行に接触して配設され、版ロールと反対方向に同期して回転する、外周部に糊取込溝を形成した糊ロールと、該糊ロールの外周に円弧状の開口部を接触させて設けられ、内部に糊を貯留する糊容器とを備えた糊付け装置において、前記糊ロールには、その軸方向の両端部側の糊取込溝が設けられていない少なくとも外周部分に接触して、糊ロールに付着した糊に水分を付与する糊カス飛散防止手段が設けられたことを特徴としている。
【０００９】
また、請求項２に係る糊付け装置は、請求項１に記載の糊付け装置において、前記糊カス飛散防止手段が、前記糊ロールに接触する吸湿性部材と、該吸湿性部材が浸漬する水を貯留する貯水器とを備えていることを特徴としている。
【００１０】
また、請求項３に係る糊付け装置は、請求項２に記載の糊付け装置において、前記糊カス飛散防止手段に、前記吸湿性部材を前記糊ロールに押圧、接触させる付勢手段が設けられていることを特徴としている。
【００１１】
【発明の実施の形態】
以下に、本発明の一実施の形態に係る糊付け装置を図１〜図５にもとづいて説明する。なお、従来の糊付け装置Ａと同一または同様な構成部分には同一の符号を付して説明する。
図１において、Ｂは本発明の一実施の形態に係る糊付け装置である。この糊付け装置Ｂは、装置本体のフレーム（図示せず）に軸部が回転自在に支持された水平配置の押圧ロール１と、該押圧ロール１と平行に僅かな隙間をあけて配設されて前記フレームに軸部が回転自在に支持された版ロール２と、該版ロール２と平行に接触して配設されて前記フレームに回転自在に支持された糊ロール４と、該糊ロール３の外周に円弧状の開口部４ａを接触させた状態で前記フレームに固定して設けられ、内部に糊を貯留する糊容器４と、前記糊ロール３に接触して、糊ロール３に付着した糊カスに水分を付与する糊カス飛散防止手段９とを備えている。
【００１２】
前記押圧ロール１、版ロール２および糊ロール３は、それらの軸部に設けた伝動機構が前記フレームに設置した電動機等の駆動手段によって作動されて、前記押圧ロール１がその軸回りにイ矢方向に回転すると、この回転に同期して、前記版ロール２が押圧ロール１と反対のロ方向に、また、前記糊ロール３が版ロール２と反対のイ矢方向にそれぞれ所定の速度で回転するようになっている。前記版ロール２の外周部には、前記押圧ロール１と版ロール２との間に挟持されてハ矢方向に通過して移送される連続用紙（被糊付シート）８の所定の領域に繰り返し塗布する糊を保持するに必要な所定形状の糊付与パターン（図示せず）が凹所として形成されている。
【００１３】
また、前記糊ロール３の外周部には、その軸方向の両端部における所定長さの外周部分３ａ，３ａを除いて、軸方向に対して所定の角度で互いに反対方向に傾斜した一組の溝を多数組刻設してなる網目状の糊取込溝３ｂが設けられている。前記糊容器４は、糊ロール３の直径より小さい高さを有し糊ロール３と略同じ長さを有する箱状に形成され、その長手方向の両端の円弧状部が、前記糊ロール３の糊取込溝３ｂのない外周部分３ａ，３ａにシール材（図示せず）を介して気密に接触されており、内部の上方がポンプ６を有する配管ａを介して前記フレーム（図示せず）等に取り付けた糊タンク５の下部に連絡され、内部の下方が糊戻し配管ｂで糊タンク５の上方に連絡されている。
【００１４】
前記糊カス飛散防止手段９には、前記糊ロール３の軸方向の両端部側の糊取込溝３ｂが設けられていない外周部分３ａ，３ａと両端面３ｃ，３ｃとに接触するフェルト等の吸湿性部材１０と、該吸湿性部材１０が浸漬する水ｗを貯留する貯水器１１と、前記吸湿性部材１０を前記糊ロール３に押圧、接触させる付勢手段１２とが設けられている
前記吸湿性部材１０は、図２に示すように、ホルダー１３に接着して設けられており、その内側上方に切欠部１０ａを設けて正面視でＬ字状に形成され、切欠部１０ａの垂直面１０ｂと水平の円弧状面１０ｃとを、それぞれ前記糊ロール３の軸方向の両端面３ｃ，３ｃと前記糊取込溝３ｂのない外周部分３ａ，３ａとに接触され、下部を前記貯水器１１，１１内に挿入されている。
【００１５】
前記貯水器１１は、上部を開放した糊ロール３の軸方向に長い箱形に形成され、機械本体のフレームに固定した糊カス飛散防止具本体Ｆに設けた凹所１４に上下動可能に挿入されている。さらに、前記貯水器１１は、図３〜図５に示すように、その上端の外側に設けたフランジ１１ａの四隅部に調整ネジ１５が垂直に螺合され、該調整ネジ１５の下端と前記凹所１４の底部との間に装着した圧縮ばね（付勢ばね）１６によって、常時上方に付勢されている。前記貯水器１１の内部には、前記吸湿性部材１０の下端部が浸漬するように水が満たされており、適時に図示しないが給水具から水が補給されるようになっている。
【００１６】
そして、前記貯水器１１のフランジ１１ａ，１１ａにブラケット１７が掛け渡されてボルト１８で固定され、ブラケット１７に水平方向に中空の調整ネジ１９が螺合されており、該調整ネジ１９の軸孔に前記ホルダー１３の外端面に水平に固定した案内軸２０が軸方向に摺動自在に挿入されている。また、前記前記ホルダー１３の外端面と前記調整ネジ１９の内端面との間には、前記案内軸２０を挿通して圧縮ばね（付勢ばね）２１が装着されており、常時、前記吸湿性部材１０の垂直面１０ｂが前記糊ロール３の端面１０ｃに押圧、接触されるようになっている。
【００１７】
前記ホルダー１３には前記吸湿性部材１０の両側部を保持する側板１３ａ，１３ａが設けられ、該側板１３ａ，１３ａの下端が前記貯水器１１のフランジ１１ａ，１１ａの上面に当接して支持されている。かくして、前記吸湿性部材１０は、前記ホルダー１３、案内軸２０、調節ネジ１９、ブラケット１７を介して貯水器１１の上面に支持され、常時、前記圧縮ばね１６によって前記円弧状面１０ｃが前記糊ロール３の外周部分３ａに押圧、接触されるようになっている。
前記調節ネジ１５および圧縮ばね１６と、前記調節ネジ１９および圧縮ばね２１とは、それぞれ前記吸湿性部材１０を前記糊ロール３の外周部分３ａと両端面１０ｃとに押圧、接触させる付勢手段１２を構成している。前記吸湿性部材１０の円弧状面１０ｃを糊ロール３の前記外周部分３ａ，３ａに押圧、接触させる付勢手段１２は、前記調整ネジ１５と圧縮ばね１６によって前記貯水器１１を押し上げる代わりに、前記ホルダー１３に対して吸湿性部材１０を上方に押し上げるようにした構成としてもよい。
【００１８】
次に、前記糊付け装置Ｂの作用について説明する。
従来の糊付け装置Ａと同様に、前記押圧ロール１、版ロール２および糊ロール４を駆動手段によって伝動機構を介して、それぞれイ矢方向、ロ矢方向、イ矢方向に同期回転させると共に、前記押圧ロール１と版ロール２とによって前記連続用紙８を挟持した状態でそれらの間をハ矢方向に移送させると、前記糊容器４内の糊が糊ロール３の回転でその外周の糊取込溝３ｂに取り込まれ、この糊ロール３の糊取込溝３ｂに取り込まれた糊が、糊ロール３に接触する前記版ロール２の糊付与パターンに転移され、この版ロール２の糊付与パターンに転移された糊が、前記押圧ロール１と版ロール２で移送される連続用紙８に繰り返し塗布される。これにより、前記連続用紙８における通信紙等の通信面に対応する所定の領域毎に前記糊付与パターンの糊付けが行われることとなる。
【００１９】
その間、糊ロール３の糊取込溝３ｂに取り込まれた糊の一部が糊ロール３の糊取込溝３ｂのない外周部分３ａ，３ａにはみ出して該外周部分３ａ，３ａに付着したり、前記糊容器４における糊ロール３の軸方向の両端部に対応して設けたシール材を経て上方縁部ｅから漏れ出た糊が前記外周部分３ａ，３ａに付着したり、糊ロール３の両端面３ｃ，３ｃに付着するが、該外周部分３ａ，３ａと両端面３ｃ，３ｃには、常時、前記糊カス飛散防止手段９の吸湿性部材１０が、前記圧縮ばね１６，２１の付勢力によって押圧、接触され、前記貯水器１１内の水が吸湿性部材１０によって吸着されて前記外周部分３ａ，３ａと両端面３ｃ，３ｃとを湿潤させているので、前記外周部分３ａ，３ａと両端面３ｃ，３ｃとに付着した糊カスは常に水分が与えられて外部空気によって乾燥することはない。
【００２０】
このため、前記糊ロール３に付着して乾燥した糊カスが、糊容器４の前記シール材を破損させたり、糊ロール３とシール材との間に入り込んで糊容器４からの糊漏れを増長させ、また、周辺に飛散して連続用紙８に付着して該連続用紙８を汚損、損傷させたり、後工程における通信紙等の圧着による良好な密封を妨げるといった不具合を発生させるおそれはない。前記吸湿性部材１０の糊ロール３の外周部分３ａ，３ａと両端面３ｃ，３ｃへの押圧力は、調節ネジ１７，１９を回転して圧縮バネ１６，２１の付勢力を調節することにより、適切に調整する。
【００２１】
このように、前記実施の形態に係る糊付け装置Ｂによれば、前記糊ロール３に、その軸方向の両端部側の糊取込溝３ｂ，３ｂが設けられていない外周部分３ａ，３ａと両端面３ｃ，３ｃに、糊カス飛散防止手段９における吸湿性部材１０の円弧状面１０ｃと垂直面１０ｂとを押圧、接触させて、糊ロール３の前記外周部分３ａ、３ａと両端面３ｃ，３ｃに付着した糊に、常時、貯水器１１から前記吸湿性部材１０が吸着した適量の水分を付与して、該付着糊を湿潤するようにしたので、糊付け作業中に糊ロール３に付着して糊カスが乾燥することがなく、乾燥した糊カスが、糊容器４の前記シール材を破損させたり、糊容器からの糊漏れを増長させ、また、周辺に飛散して連続用紙８に付着して該連続用紙８を汚損、損傷させたり、後工程における通信紙等の圧着による良好な密封を妨げるといった不具合の発生を効果的に防止することができる。
【００２２】
さらに、前記吸湿性部材１０の糊ロール３の外周部分３ａ，３ａと両端面３ｃ，３ｃへの押圧力は、付勢手段１２の調節ネジ１５，１９を回転して圧縮バネ１６，２１の付勢力を調節して調整することができるので、前記押圧力を適切に調整して糊ロール３と吸湿性部材１０との接触を良好な状態で行わせることができ、前記糊ロール３や吸湿性部材１０の摩耗や損傷を可及的に少なく抑えて、前記糊カスに対する水分の付与を一層確実に行わせることができる。
しかも、従来の糊付け装置のように、糊ロール３に付着した糊カスを除去するために、ドクターブレード７を設ける必要がないので、装置の構成が簡単であり、その製作の実施が容易である。
【００２３】
なお、前記糊付け装置Ｂにおいては、前記押圧ロール１と版ロール２との間に挟持されて移送される連続用紙８における通信紙の通信面の所定部位に対応する所定の領域に糊を繰り返し塗布するようにしたが、本発明はこれに限らず、通信紙のカット紙を連続的に移送して、それらの所定部位に糊を塗布するようにしてもよく、また、通信紙に限らず、段ボール箱やその他の紙箱の紙シート等（被糊付シート）の糊付けに適用することもできる。
【００２４】
【発明の効果】
以上説明したように、本発明によれば以下の優れた効果を奏する。
請求項１に係る糊付け装置によれば、糊ロールに、その軸方向の両端部側の糊取込溝が設けられていない少なくとも外周部分に接触して、糊ロールに付着した糊に水分を付与する糊カス飛散防止手段を設けた構成としたので、糊付け作業中に糊ロールに付着して糊カスは糊カス飛散防止手段によって付与された水分によって乾燥することがなく、乾燥した糊カスが、糊容器シール材を破損させたり、糊容器からの糊漏れを増長させ、また、周辺に飛散して被糊付シートに付着して該被糊付シートを汚損、損傷させたりする等の不具合の発生を効果的に防止することができる。また、従来の糊付け装置のように、糊ロールに付着した糊カスを除去するために、ドクターブレードを設ける必要がないので、装置の構成が簡単であり、その製作の実施が容易である。
【００２５】
請求項２に係る糊付け装置によれば、糊カス飛散防止手段を、糊ロールに接触する吸湿性部材と、該吸湿性部材が浸漬する水を貯留する貯水器とを備えてた構成としたので、前記吸湿性部材によって貯水器から常時適量の水を確実に吸着して、糊ロールに付着した糊カスに水分を良好に付与することができる。
【００２６】
請求項３に係る糊付け装置によれば、糊カス飛散防止手段に、吸湿部材を糊ロールに押圧、接触させる付勢手段を設けたので、前記吸湿性部材の糊ロールへの押圧力を、付勢手段の付勢力で調節することができるので、前記押圧力を適切に調整して糊ロールと吸湿性部材との接触を良好な状態で行わせることができ、前記糊ロールや吸湿性部材の摩耗や損傷を可及的に少なく抑えて、糊ロールに付着した糊カスに対する水分の付与を一層確実に行わせることができる。
【図面の簡単な説明】
【図１】本発明の一実施の形態に係る糊付け装置を示す要部の側面図である。
【図２】同じく正面図である。
【図３】図２のＸ−Ｘ断面図である。
【図４】図２のＹ−Ｙ断面図である。
【図５】図２のＺ矢視図である。
【図６】従来の糊付け装置の一例を示す要部の側面図である。
【符号の説明】
１  押圧ロール
２  版ロール
３  糊ロール
３ａ  糊取込溝のない外周部分
３ｂ  糊取込溝
４  糊容器（アプリケータ）
５  糊タンク
６  ポンプ
８  連続用紙（被糊付シート）
９  糊カス飛散防止手段
１０  吸湿性部材
１１  貯水器
１２  付勢手段
１３  ホルダー
１５，１９  調整ネジ
１６，２１  圧縮ばね（付勢ばね）
Ａ，Ｂ  糊付け装置
ｗ  水
【図１】
2004216203.tif 000003
【図２】
2004216203.tif 000004
【図３】
2004216203.tif 000005
【図４】
2004216203.tif 000006
【図５】
2004216203.tif 000007
【図６】
2004216203.tif 000008